(57)【要約】【課題】プレゼンテーション内容に関するデータを配布するための手間及びコストを低減できる資料提示システムを提供する。【解決手段】資料提示システム１００によれば、端末装置５００は、資料提示装置１１０が放送情報を送信するときに用いる搬送波の周波数の情報を、スクリーン等に投影されたＱＲコードを撮像することにより取得することができる。これにより、端末装置５００は、資料提示装置１１０から送信される放送情報を受信することが可能となる。そして、端末装置５００は、受信した放送情報を記憶することができる。従って、例えば会議等において資料提示装置１１０によって提示される資料情報等のプレゼンテーション内容に関するデータを配布するための手間及びコストの低減が可能となる。【選択図】  図１
2010198192.tif 000002
【特許請求の範囲】
【請求項１】
資料情報を提示するための資料提示装置と、前記資料提示装置から送信される情報を受信する端末装置とを含む資料提示システムであって、
前記資料提示装置は、
前記資料情報を表示する表示部と、
前記表示部に表示される資料情報を放送情報として所定の周波数の搬送波で送信する放送情報送信部と、
前記所定の周波数の情報を含み光学的に読み取り可能なコード情報を撮像可能な媒体に出力するコード生成出力部とを備え、
前記端末装置は、
前記コード情報を撮像するコード取得部と、
前記コード取得部により撮像された前記コード情報から前記所定の周波数に関する情報を抽出する周波数情報抽出部と、
前記周波数情報抽出部により抽出された前記所定の周波数に関する情報に基づいて前記放送情報を受信する放送情報受信部と、
前記放送情報受信部により受信された前記放送情報を記憶する放送情報記憶部とを備える
ことを特徴とする資料提示システム。
【請求項２】
前記資料提示装置は、
資料を撮像する撮像部と、
資料出力装置から前記資料情報が入力される情報入力部と、
前記撮像部によって撮像された撮像情報及び前記情報入力部に入力された前記資料情報の少なくとも一方に所定の処理を施す画像処理部とを備え、
前記表示部は、前記資料情報及び前記画像処理部によって処理された画像を表示し、
前記放送情報送信部は、前記表示部に表示される前記資料情報及び前記画像を含む放送情報を所定の周波数の搬送波で送信する
ことを特徴とする請求項１に記載の資料提示システム。
【請求項３】
前記コード生成出力部は、前記コード情報をスクリーンに投影することを特徴とする請求項１または２に記載の資料提示システム。
【請求項４】
前記コード生成出力部は、前記コード情報を印刷可能な媒体に印刷することを特徴とする請求項１または２に記載の資料提示システム。
【発明の詳細な説明】
【技術分野】
【０００１】
本発明は、例えば会議等において資料を提示するための資料提示システムに関する。
【背景技術】
【０００２】
近年、プレゼンテーションや会議等においては、パーソナルコンピュータ（以下、「パソコン」という）に記憶されている文字や図表等を、プロジェクタを用いてスクリーン上に拡大して投影することが行われている。スクリーンに投影された図表等のデータを含むプレゼンテーションの内容は、ハードディスク等の記憶手段に記憶される（例えば、特許文献１参照）。また、プレゼンテーション等の出席者がプレゼンテーション内容を後に参照可能なように、プレゼンテーションに用いたデータを何らかの記録メディアに記録して出席者に配布することが行われている。
【先行技術文献】
【特許文献】
【０００３】
【特許文献１】特開２００６−２２９５９２号公報
【発明の概要】
【発明が解決しようとする課題】
【０００４】
しかしながら、プレゼンテーション内容を記録した記録メディアを配布するためには、少なくとも出席者数分の記録メディアの複製をしなければならず、その作業時間が必要となる。また、記録メディアのコストが必要になると共に、記録メディアを配布するための手間も必要となる。さらに、プレゼンテーションのデータを記録メディアに記録できる形式に変換する必要が生じる場合がある。
【０００５】
本発明は、このような事情に鑑みてなされたものであり、プレゼンテーション内容に関するデータを配布するための手間及びコストを低減できる資料提示システムを提供することを目的とする。
【課題を解決するための手段】
【０００６】
上記目的を達成するために、本発明に係る資料提示システムは、資料情報を提示するための資料提示装置と、資料提示装置から送信される情報を受信する端末装置とを含む資料提示システムであって、資料提示装置は、資料情報を表示する表示部と、表示部に表示される資料情報を放送情報として所定の周波数の搬送波で送信する放送情報送信部と、所定の周波数の情報を含み光学的に読み取り可能なコード情報を撮像可能な媒体に出力するコード生成出力部とを備え、端末装置は、コード情報を撮像するコード取得部と、コード取得部により撮像されたコード情報から所定の周波数に関する情報を抽出する周波数情報抽出部と、周波数情報抽出部により抽出された所定の周波数に基づいて放送情報を受信する放送情報受信部と、放送情報受信部により受信された放送情報を記憶する放送情報記憶部とを備えることを特徴とする。
【０００７】
この資料提示システムによれば、資料提示装置が放送情報を送信するときに用いる搬送波の周波数の情報を端末装置が取得することができるので、端末装置は、資料提示装置から送信される放送情報を受信することが可能となる。そして、端末装置は、受信した放送情報を記憶することができる。従って、資料情報の提示を含むプレゼンテーション内容に関するデータを配布するための手間及びコストが低減される。
【０００８】
また、本発明の資料提示システムでは、資料提示装置は、資料を撮像する撮像部と、資料出力装置から資料情報が入力される情報入力部と、撮像部によって撮像された撮像情報及び情報入力部に入力された資料情報の少なくとも一方に所定の処理を施す画像処理部とを備え、表示部は、資料情報及び画像処理部によって処理された画像を表示し、放送情報送信部は、表示部に表示される資料情報及び画像を含む放送情報を所定の周波数の搬送波で送信することを特徴とする。この場合には、資料を撮像した撮像情報や、資料出力装置から入力された資料情報を、放送情報に含めることができる。従って、種々の情報を端末装置に提供することが可能となる。
【０００９】
また、本発明の資料提示システムでは、コード生成出力部は、コード情報をスクリーンに投影することが好ましい。この場合には、端末装置は、スクリーンに投影されたコード情報を撮像することにより、搬送波の周波数の情報を取得することが可能となる。
【００１０】
また、本発明の資料提示システムでは、コード生成出力部は、コード情報を印刷可能な媒体に印刷することを特徴としてもよい。この場合には、例えば紙といった印刷可能媒体に印刷されたコード情報を、端末装置により撮像することが可能となる。
【発明の効果】
【００１１】
本発明によれば、プレゼンテーション内容に関するデータを配布するための手間及びコストを低減できる。
【図面の簡単な説明】
【００１２】
【図１】本実施形態に係る資料提示システムの構成図である。
【図２】資料提示装置のブロック構成図である。
【図３】資料提示装置の斜視図である。
【図４】資料提示装置の斜視図、側面図、及び拡大図である。
【図５】ディスプレイに対する指示を入力する様子を示した図である。
【図６】プロジェクタを接続された資料提示装置から端末装置に情報が送信される様子を示した図である。
【図７】端末装置の機能ブロック構成図である。
【図８】端末装置が資料提示装置から送信される放送情報を受信する処理手順を示したフローチャートである。
【発明を実施するための形態】
【００１３】
以下、本発明に係る資料提示システムの好適な実施形態について、図面を参照して詳細に説明する。なお、各図において同一又は相当部分には同一符号を付し、重複する説明を省略する。
【００１４】
図１は、本実施形態に係る資料提示システム１００の構成図である。図１に示すように、資料提示システム１００は、資料提示装置１１０及び端末装置５００を有する。また、図２は、資料提示装置１１０のブロック構成図である。また、図３（ａ）は、資料提示装置１１０を使用可能にセッティングした状態を示す斜視図であり、図３（ｂ）は、図３（ａ）とは異なる方向から見た場合の斜視図である。また、図４（ａ）は、資料提示装置１１０を収納した状態を示す斜視図であり、図４（ｂ）は、図４（ａ）の収納状態において資料提示装置１１０と指示入力装置（例えば、パソコン）とを接続した状態における資料提示装置１１０の側面図であり、図４（ｃ）は、図４（ｂ）の収納状態における電源スイッチＳＷ及び電源ソケットＥＳ近傍の拡大図である。また、図５は、例えば入力用ペン６０を用いて、ディスプレイ３に対する指示を入力する様子を示した図である。また、図６は、資料提示装置１１０とプロジェクタ２００とを接続し、撮像情報をスクリーン２１０等の被投射領域（すなわち、投射される領域）に映し出す様子を示すと共に、端末装置５００に情報が送信される様子を示した図である。なお、資料提示装置１１０は、例えば会議等において資料を提示するための装置である。
【００１５】
資料提示装置１１０は、機能的な構成要素として、カメラ（撮像部）１、情報入力部２、ディスプレイ（表示部）３、切替部４、タッチパネル５、重畳部６、操作部７、情報出力部８、画像処理部９、記録部１０、編集部１１、音声入力部１２、音声出力部１３、制御部１６、投射部１７、符号化部２０、送信部（放送情報送信部）２１及びコード生成出力部２２を備えている。
【００１６】
カメラ１は、資料を撮像することができるカメラである。カメラ１は、図３（ａ）及び（ｂ）に示すように、カメラアーム１Ｂの一端と、回転軸（図示せず）を中心として回転可能に接続されている。このため、カメラ１をこの回転軸を中心として回転させることにより、資料提示装置１１０の周囲の撮影が可能となる。また、カメラアーム１Ｂの他端は、カメラアーム１Ｃの一端と、回転軸１Ｄを中心として回転可能に接続されている。更に、カメラアーム１Ｃの他端は、資料提示装置１１０の支持台と、回転軸１Ｅを中心として回転可能に接続されている。資料提示装置１１０の支持台は、資料提示装置１１０の筐体１８の側壁１８Ａと接続されている。なお、筐体１８は、ディスプレイ３やカメラ１を有している。カメラ１は、フォーカスリング１Ａを有しており、このリングを回転することにより、資料を撮像する際のピントを合わせることができる。更に、カメラアーム１Ｂ及び１Ｃ各々を上記の回転軸を中心として回転させて、カメラアーム１Ｂと、資料提示装置１１０の設置面との距離を調整することにより、撮影サイズを４倍まで拡大することができる。カメラ１により撮像された撮像情報は、切替部４に送信される。
【００１７】
情報入力部２は、資料出力装置から資料情報が入力される部分であり、例えば、ＵＳＢ端子２Ａや、ＲＧＢ入力端子２Ｂが含まれる。情報入力部２は、資料提示装置１１０の筐体１８の側壁１８Ａに設けられている。情報入力部２に入力された資料情報は、切替部４に送信される。ここで、資料出力装置は、例えば画像出力可能なデジタルカメラ、プレゼンテーションを行う際に補助的に用いるパソコン等である。
【００１８】
ディスプレイ３は、カメラ１によって撮像された撮像情報及び情報入力部２に入力された資料情報の少なくとも一方に所定の処理が施された画像を、静止画像又は動画像として表示する部分である。ディスプレイ３は、図３（ａ）及び（ｂ）に示すように、ディスプレイ３の外枠となるディスプレイフレーム３Ｄの枠内に設けられている。ディスプレイフレーム３Ｄは、ディスプレイアーム３Ａの一端と、回転軸３Ｂを中心として回転可能に接続されている。また、ディスプレイアーム３Ａの他端は、資料提示装置１１０の支持台と、回転軸３Ｃを中心として回転可能に接続されている。資料提示装置１１０の支持台は、資料提示装置１１０の筐体１８の側壁１８Ａと接続されている。ディスプレイアーム３Ａを上記の回転軸を中心として回転させて、ディスプレイ３を見やすい位置にセッティングすることができる。ディスプレイ３の表示部には、タッチパネル５が取り付けられている。資料提示装置１１０の利用者は、ディスプレイ３に表示された情報を視認することができる。
【００１９】
切替部４は、ディスプレイ３に表示された情報を、撮像情報、資料情報又はそれらの処理画像に切り替える部分である。すなわち、切替部４により、カメラ１によって撮像された撮像情報を表示させるか、情報入力部２に入力された資料情報を表示させるかを、切り替えることができる。切替部４は、資料提示装置１１０が備えるリモートコントローラ（以下、リモコンという。）に入力切替ボタンとして設けられている。ディスプレイ３に撮像情報を表示させるか、資料情報を表示させるかを決定して制御する信号は、制御部１６に送信される。
【００２０】
タッチパネル５は、ディスプレイ３に対する指示の入力を受け付けるパネルである。すなわち、タッチパネル５とは、ディスプレイ３の表面に取り付けられる入力装置であり、感圧式や静電式のものがある。資料提示装置１１０の利用者は、図５に示すように、装置に付属の入力用ペン６０を用いてタッチパネル５に触れたりすることによって、ディスプレイ３に対する指示を入力することができる。また、資料提示装置１１０の利用者は、入力用ペン６０を用いずに、タッチパネル５に指で直接触れたりすることによって、この指示を入力することも可能である。タッチパネル５には、ディスプレイ３に対する指示各々に対応した機能を有する操作マーク（例えば、上記の切替マーク等）が表示されている。すなわち、タッチパネル５は、ディスプレイ３に表示された撮像情報、資料情報又はそれらの処理画像に対する操作を行う操作マークを含んでいる。これにより、資料提示装置１１０の利用者は、この操作マークに触れて選択することにより、その操作マークに対応した機能を実行させることができる。タッチパネル５に入力された指示は、制御部１６に送信される。
【００２１】
重畳部６は、タッチパネル５によって受け付けられた指示を、図形としてディスプレイ３に重畳する部分である。重畳部６は、例えばソフトウェアとして構成されている。重畳部６は、この指示を、矢印や直線や曲線等の図形としてディスプレイ３に重畳する。この矢印の図形の例として、対象を指し示すための矢印型ポインタ等が挙げられる。また、直線の図形の例として、ディスプレイ３上で指定された点を通る水平ライン又は垂直ライン等が挙げられる。また、曲線の図形の例として、資料提示装置１１０の利用者によってフリーハンドで描画された曲線等が挙げられる。重畳部６が重畳する図形に関する情報は、制御部１６に送信される。
【００２２】
操作部７は、上述したように、ディスプレイ３に表示された撮像情報、資料情報又はそれらの処理画像に対する操作を行う操作マークのことであり、タッチパネル５に含まれている。操作部７が、資料提示装置１１０の利用者から受け付けた操作に関する情報は、タッチパネル５を経由して重畳部６に送信される。
【００２３】
情報出力部８は、ディスプレイ３に表示された撮像情報、資料情報又はそれらの処理画像を、上記の図形と共に画像表示装置に対して出力する部分であり、例えば、ＲＧＢ出力端子８Ａである。情報出力部８は、資料提示装置１１０の筐体１８の側壁１８Ａに設けられている。なお、画像表示装置とは、例えば、プレゼンテーションを行う際に補助的に用いるプロジェクタ等である。図６に示すように、資料提示装置１１０の情報出力部８とプロジェクタ２００とをケーブルＣによって接続し、例えばカメラ１によって資料Ｄを撮像し、この撮像された撮像情報を、スクリーン２１０に映し出すことができる。なお、スクリーン２１０には、ディスプレイ３に重畳されている矢印型ポインタＰが表示されている。
【００２４】
画像処理部９は、撮像情報及び資料情報の少なくとも一方に所定の処理を施して処理画像を作成する部分である。画像処理部９は、例えばソフトウェアとして構成されている。画像処理部９により、画像の拡大や縮小等を含む画像処理が行われる。画像処理の操作を行うための操作マークは、上述したように、タッチパネル５上に表示されている。画像処理部９によって画像処理された画像処理情報は、制御部１６を介してディスプレイ３に送信され、表示される。
【００２５】
記録部１０は、ディスプレイ３に表示された撮像情報、資料情報又はそれらの処理画像を記録する部分である。記録部１０は、例えばＣＰＵ及びハードディスクを含むコンピュータを主体として構成されている。
【００２６】
編集部１１は、記録部１０によって記録された情報を編集する部分である。編集部１１は、例えばＣＰＵ及び編集用ソフトウェアを含むコンピュータを主体として構成されている。記録部１０内の記録情報に対する、編集部１１による編集に関する情報は、記録部１０に送信される。
【００２７】
音声入力部１２は、撮像情報、資料情報又はそれらの処理画像に対する音声の入力を受け付ける部分であり、例えばマイク入力端子１２Ａ等である。音声入力部１２は、資料提示装置１１０の筐体１８の側壁１８Ａに設けられている。音声入力部１２によって入力が受け付けられた音声情報は、制御部１６に送信される。
【００２８】
音声出力部１３は、撮像情報、資料情報又はそれらの処理画像の音声の出力を行う部分であり、例えば音声出力端子１３Ａ等である。音声出力部１３は、資料提示装置１１０の筐体１８の側壁１８Ａに設けられている。音声出力部１３とスピーカー（図示せず）とを接続することにより、撮像情報、資料情報又はそれらの処理画像の音声の出力を行うことができる。なお、音声出力部１３は、音声入力部１２による音声入力処理前の撮像情報、資料情報又はそれらの処理画像が有する音声を出力することも可能であり、また、音声入力部１２による音声入力処理後の撮像情報、資料情報又はそれらの処理画像が有する音声を出力することも可能である。
【００２９】
制御部１６は、上記の撮像情報や資料情報をディスプレイ３に表示させるための制御や、上記の撮像情報や資料情報の音声を出力させるための制御等を行う部分である。制御部１６は、例えばＣＰＵ及びメモリを含むコンピュータを主体として構成されている。
【００３０】
第一回動体１７Ａは、筐体１８の側壁１８Ａから突出して設けられると共に、この突出方向（以下、突出方向Ｘとする。）の周りに回動自在に（すなわち、図３の黒矢印で示されるように回転自在に）設けられている筒状の回動体である。ここで、第一回動体１７Ａの突出方向Ｘとは、筒状の第一回動体１７Ａの軸方向を意味する。第一回動体１７Ａの一端は、筐体１８の側壁１８Ａから内部に向けて挿入されている。これにより、第一回動体１７Ａの他端に取り付けられて設けられた物体等を、筐体１８の側壁１８Ａに対して水平な面内で自在に回動させることができる。
【００３１】
第二回動体１７Ｂは、第一回動体１７Ａの他端に設けられると共に、第一回動体１７Ａの突出方向Ｘに対して垂直な方向（以下、例えば対垂直方向Ｚ、又は対水平方向Ｙとする。）の回りに回動自在に（すなわち、図３の白矢印で示されるように回転自在に）投射部１７を支持する筒状の回動体である。ここで、第二回動体１７Ｂの対垂直方向Ｚとは、筒状の第二回動体１７Ｂの軸方向が図３における垂直方向と平行な場合の第二回動体１７Ｂの軸方向を意味し、第二回動体１７Ｂの対水平方向Ｙとは、筒状の第二回動体１７Ｂの軸方向が図３における水平方向と平行な場合の第二回動体１７Ｂの軸方向を意味する。第二回動体１７Ｂの一端において、第一回動体１７Ａの他端が内部に向けて挿入されている。また、第二回動体１７Ｂの他端において、投射部１７が支持されている。なお、第一回動体１７Ａの突出方向Ｘに対して垂直な方向は、突出方向Ｘに対して垂直であれば特に限定されない。
【００３２】
これにより、第二回動体１７Ｂの他端において支持されて設けられた投射部１７を、筐体１８の側壁１８Ａに対して垂直な面内で自在に回動させることができる。すなわち、第二回動体１７Ｂの軸方向が図３における垂直方向と平行な場合は、投射部１７を、対水平方向Ｙ及び突出方向Ｘを含む面内で自在に回動可能である。また、第二回動体１７Ｂの軸方向が図３における水平方向と平行な場合は、投射部１７を、対垂直方向Ｚ及び突出方向Ｘを含む面内で自在に回動可能である。
【００３３】
投射部１７は、ディスプレイ３に表示された撮像情報、資料情報又はそれらの処理画像を、上記の図形と共に投射用のスクリーン２１０や白い壁面等といった被投射領域（すなわち、投射される領域）に対して投射する部分である。投射部１７は、図３（ａ）に示すように、第二回動体１７Ｂの他端と、例えば対垂直方向Ｚを中心として回転可能に接続されている。このため、投射部１７をこの対垂直方向Ｚを中心として回転させることにより、資料提示装置１１０の周囲に対して投射することが可能となる。また、第二回動体１７Ｂの一端は、第一回動体１７Ａの他端と、突出方向Ｘを中心として回転可能に接続されている。投射部１７は、フォーカスリング（図示せず）を有しており、このリングを回転することにより、スクリーン２１０に対して投射する際のピントを合わせることができる。更に、第一回動体１７Ａを上記の方向Ｘを中心として回転させたり、第二回動体１７Ｂを例えば上記の方向Ｙ，Ｚを中心として回転させたりして、投射部１７による投射の投射方向を調整することにより、様々な場所や方向に向けて投射することができる。
【００３４】
また、図６に示すように、情報出力部８に接続されたプロジェクタ２００は、投射部１７と同様に、ディスプレイ３に表示された撮像情報、資料情報又はそれらの処理画像等を投射用のスクリーン２１０や白い壁面等といった被投射領域に対して投射することができる。
【００３５】
符号化部２０は、ディスプレイ３に表示された撮像情報、資料情報又はそれらの処理画像を所定の方式により符号化した情報を放送情報として生成する部分である。ここで放送情報に含まれる画像には、重畳部６によりディスプレイ３に重畳表示される図形等が含まれる。また、放送情報には、撮像情報、資料情報又はそれらの処理画像に対応した音声の情報も含ませることができる。なお、符号化の方式としては、例えばＭＰＥＧ（Moving Picture Experts Group）−４規格が用いられることが好ましいが、この規格には限定されない。
【００３６】
送信部２１は、所定の周波数の搬送波で端末装置５００に放送情報を送信する部分である。送信部２１は、例えば、放送出力端子２１Ａを含み、放送出力端子２１Ａに接続されたアンテナ４００を介して放送情報を送信する。放送出力端子２１Ａは、筐体１８の側壁１８Ａに設けられており、例えばＵＳＢ端子といった汎用的な規格に準拠した端子とすることができる。図６に示すように、端末装置５００は、アンテナ４００を介して送信される放送情報受信することができる。放送情報の送信には、いわゆるワンセグ放送の方式が用いられる。ワンセグ放送は、地上デジタル放送の規格の１つであり、分割された所定の周波数帯域のうちの１つのセグメント（チャネル）を利用して行われる放送である。なお、放送情報の送信の方式はワンセグ放送には限定されず、他の方式でもよい。
【００３７】
コード生成出力部２２は、送信部２１が放送情報の送信に用いる搬送波の周波数の情報を含み光学的に読み取り可能なコード情報を撮像可能な媒体に出力する部分である。例えばワンセグ放送では、１３〜５２ｃｈ（チャネル）に所定の周波数が割り当てられているので、コード情報は、搬送波の周波数の情報としてチャネルの情報を含む。コード生成出力部２２により出力されるコード情報は、例えばバーコード、ＱＲコード（登録商標）といったものである。また、コード情報は、ワンセグ放送を受信する端末装置５００において実行されるワンセグ受信設定命令を含むことができる。ワンセグ受信設定命令は、所定のチャネル（周波数）を出発点として、チャネルを順次スキャンしながら放送の有無を判定し、放送を受信可能なチャネルを当該端末装置５００に設定するための命令である。
【００３８】
また、コード生成出力部２２は、コード情報を印刷装置（図示せず）を介して紙等の印刷可能な媒体に印刷して出力したり、情報出力部８を介して画像表示装置に対して出力したり、投射部１７及びプロジェクタ２００を介して投射用のスクリーン２１０や白い壁面等に出力したりすることができる。特に、コード情報を画像表示装置やスクリーン２１０に出力した場合には、紙等の媒体を要することなく、一度に多くの者に対してコード情報を提供することが可能となる。
【００３９】
図７は、端末装置５００のブロック構成図である。なお、端末装置５００は、例えば携帯電話等の移動端末、パソコンといった装置である。端末装置５００は、機能的な構成要素として、コード取得部５０１、デコード部（周波数情報抽出部）５０２、受信部（放送情報受信部）５０３、制御部５０４、復号化部５０５、表示部５０６、音声出力部５０７及び受信内容記憶部（放送情報記憶部）５０８を備えている。
【００４０】
コード取得部５０１は、資料提示装置１１０より出力されたコード情報を撮像し、取得する部分であり、例えばデジタルカメラにより構成される。コード取得部５０１は、取得したコード情報をデコード部５０２に送出する。
【００４１】
デコード部５０２は、コード取得部５０１から取得したコード情報から、資料提示装置１１０の送信部２１が放送情報の送信に用いる搬送波の周波数に関する情報を抽出する部分である。本実施形態では、周波数に関する情報は、ワンセグ放送のチャネルの情報である。また、デコード部５０２は、ワンセグ受信設定命令をコード情報から抽出する。
【００４２】
受信部５０３は、デコード部５０２により抽出された周波数に関する情報に基づいて放送情報を受信する部分である。本実施形態では、受信部５０３は、デコード部５０２により抽出されたチャネルの情報に基づきチューニングを行い、放送情報を受信する。
【００４３】
制御部５０４は、受信部５０３に放送情報を受信させるための制御や、受信した放送情報を復号化部５０５に復号化させるための制御や、放送情報の内容を受信内容記憶部５０８に記憶させるための制御等と行う部分である。また、コード情報にワンセグ受信設定命令が含まれていた場合には、制御部５０４は、ワンセグ受信設定の処理を制御する（詳細は後述する）。
【００４４】
復号化部５０５は、放送情報に含まれる符号化された画像等を復号化する部分である。例えば、ワンセグ放送により受信した放送情報を復号化する場合には、ＭＰＥＧ−４の規格に準拠した複合化処理が行われる。
【００４５】
表示部５０６は、復号化部５０５により復号化された画像を表示する部分であり、例えば、ディスプレイ装置により構成される。
【００４６】
音声出力部５０７は、復号化部により復号化された音声を出力する部分であり、例えばスピーカ装置により構成される。
【００４７】
受信内容記憶部５０８は、復号化部５０５により復号化された画像及び音声、復号化されるまえの放送情報等を記憶する部分であり、例えば、フラッシュメモリ、ＨＤＤ（Hard disk drive）装置等により構成される。
【００４８】
続いて、端末装置５００が、資料提示装置１１０から送信される画像等を受信する処理手順の一例を説明する。図８は、ワンセグ受信設定命令を利用して端末装置５００が資料提示装置１１０から送信される画像等を受信する処理手順を示したフローチャートである。ワンセグ受信設定命令は、チャネルを順次スキャンして、放送が行われているチャネルを探索するための命令である。なお、ここでは、コード情報として、ＱＲコードが用いられるものとする。
【００４９】
まず、ステップＳ１において、コード取得部５０１は、ＱＲコードを撮像し、取得する（Ｓ１）。ＱＲコードの撮像は、例えば端末装置５００の利用者によるボタン操作等により行われる。続いて、ステップＳ２において、デコード部５０２は、取得したＱＲコードをデコードし、ＱＲコードに含まれる情報を抽出する（Ｓ２）。
【００５０】
ステップＳ３において、制御部５０４は、ＱＲコードから抽出した情報にワンセグ受信設定命令が含まれているか否かを判定する。ＱＲコードから抽出した情報にワンセグ受信設定命令が含まれていた場合には（Ｓ３）、処理手順はステップＳ４に進められる。なお、この場合には、ＱＲコードにはワンセグ放送のチャネル（周波数）に関する情報も含まれている。
【００５１】
ステップＳ４において、制御部５０４は、ＱＲコードから抽出したワンセグ放送のチャネルを、ワンセグ受信設定のためのスキャンの出発点として設定する。続くステップＳ５において、制御部５０４は、受信部５０３に、スキャンの出発点として設定されたチャネル（周波数）にチューニングさせる。
【００５２】
ステップＳ６において、制御部５０４は、資料提示装置１１０から送信された放送情報を受信部５０３により受信し、受信した放送情報を復号化部５０５に復号化させ、復号化された画像や音声を受信内容記憶部５０８に記憶させる。また、制御部５０４は、復号化された画像を表示部５０６に表示させたり、復号化された音声を音声出力部５０７に出力させたりする。そして、資料提示装置１１０から送信される放送情報が終了したことを検出したり、端末装置５００の利用者によるボタン操作が行われたりしたときに、端末装置５００の制御部５０４は、放送情報の受信の処理を終了させる。
【００５３】
ワンセグ受信設定命令を実行可能な構成を端末装置５００が予め備えている場合には、ワンセグ受信設定命令を利用することにより、端末装置５００に対して特段の仕様変更を施すことなく、資料提示装置１１０からワンセグ放送により送信される放送情報を端末装置５００に受信させることが可能となる。資料提示装置１１０が放送情報の送信に用いるワンセグ放送のチャネルに関する情報が、コード生成出力部２２により出力されるコード情報に含まれているので、端末装置５００は、コード情報に含まれるワンセグ放送のチャネルに関する情報に基づいて放送情報を受信することができる。
【００５４】
以上説明したように、この資料提示システム１００によれば、端末装置５００は、資料提示装置１１０が放送情報を送信するときに用いる搬送波の周波数の情報を、スクリーン２１０等に投影されたＱＲコードを撮像することにより取得することができる。これにより、端末装置５００は、資料提示装置１１０から送信される放送情報を受信することが可能となる。そして、端末装置５００は、受信した放送情報を記憶することができる。従って、例えば会議等において資料提示装置１１０によって提示されるプレゼンテーション内容に関するデータを配布するための手間及びコストの低減が可能となる。
【符号の説明】
【００５５】
１…カメラ（撮像部）、２…情報入力部、３…ディスプレイ（表示部）、９…画像処理部、１０…記録部、２２…コード生成出力部、１００…資料提示システム、１１０…資料提示装置、２１０…スクリーン、５００…端末装置、５０１…コード取得部、５０２…デコード部（周波数情報抽出部）、５０３…受信部（放送情報受信部）、５０８…受信内容記憶部（放送情報記憶部）。
【図１】
2010198192.tif 000003
【図２】
2010198192.tif 000004
【図３】
2010198192.tif 000005
【図４】
2010198192.tif 000006
【図５】
2010198192.tif 000007
【図６】
2010198192.tif 000008
【図７】
2010198192.tif 000009
【図８】
2010198192.tif 000010